(57)【要約】【課題】特殊な再生装置を用いることなく、利用者の理解を補助するための音声／テキストを提供する。【解決手段】非接触ＩＣデバイスを搭載すると共に利用者が使用する言語の情報を予め記憶している利用者の携帯電話装置１０１を用いて、利用者の理解を補助するコンテンツを提供する通訳システムは、利用者が施設内に入場する際に、携帯電話装置１０１の非接触ＩＣデバイスから情報を読み出す書込／読取装置１０５と、施設内で使用される主音声に対して副音声のコンテンツを予め記憶し、書込／読取装置１０５によって読み出された言語情報に適した副音声コンテンツが存在する場合に、この副音声コンテンツを携帯電話装置１０１に配信するコンテンツ配信サーバ装置１０６とを有する。【選択図】  図１
2006253894.tif 000002
【特許請求の範囲】
【請求項１】
非接触ＩＣデバイスを搭載すると共に利用者が使用する言語の情報を予め記憶している利用者の移動通信端末を用いて、利用者の理解を補助するコンテンツを提供する通訳システムであって、
利用者が施設内に入場する際に、前記移動通信端末の非接触ＩＣデバイスから情報を読み出す読取装置と、
前記施設内で使用される主音声に対して副音声のコンテンツを予め記憶するデータベースと、
前記読取装置によって読み出された言語情報に適した副音声コンテンツが存在する場合に、この副音声コンテンツを前記移動通信端末に配信する副音声コンテンツ配信処理手段とを備えることを特徴とする通訳システム。
【請求項２】
請求項１記載の通訳システムにおいて、
さらに、前記言語情報に適した副音声コンテンツを配信する前に、この副音声コンテンツを再生するためのアプリケーションプログラムを前記移動通信端末に配信するアプリケーション配信処理手段を備えることを特徴とする通訳システム。
【請求項３】
請求項２記載の通訳システムにおいて、
さらに、前記アプリケーションプログラムの格納先を示すダウンロードアプリケーション情報を前記読取装置を介して前記移動通信端末に送信する通知処理手段を備え、
前記アプリケーション配信処理手段は、前記ダウンロードアプリケーション情報に基づく前記移動通信端末からのダウンロード要求に応じて、前記アプリケーションプログラムを前記移動通信端末に配信することを特徴とする通訳システム。
【請求項４】
請求項１又は２記載の通訳システムにおいて、
前記副音声コンテンツは、前記施設内で使用される主音声に対する副音声の音声データ又はテキストデータであることを特徴とする通訳システム。
【請求項５】
請求項１又は２記載の通訳システムにおいて、
前記アプリケーション配信処理手段と前記副音声コンテンツ配信処理手段とは、前記読取装置によって前記移動通信端末の非接触ＩＣデバイスから読み出された機器アドレス情報に基づいて、前記アプリケーションプログラムと前記副音声コンテンツとを前記移動通信端末に配信することを特徴とする通訳システム。
【請求項６】
請求項１又は２記載の通訳システムにおいて、
前記アプリケーション配信処理手段と前記副音声コンテンツ配信処理手段とは、前記アプリケーションプログラムと前記副音声コンテンツとを無線ＬＡＮ経由で前記移動通信端末に配信することを特徴とする通訳システム。
【請求項７】
請求項１又は２記載の通訳システムにおいて、
さらに、前記読取手段によって前記移動通信端末の非接触ＩＣデバイスから読み出されたチケット情報に基づいて、利用者の前記施設内への入場を管理する入場管理サーバ装置を備えることを特徴とする通訳システム。
【請求項８】
非接触ＩＣデバイスを搭載すると共に利用者が使用する言語の情報を予め記憶している利用者の移動通信端末を用いて、利用者の理解を補助するコンテンツを提供する通訳方法であって、
利用者が施設内に入場する際に、前記移動通信端末の非接触ＩＣデバイスから情報を読み出す読取手順と、
前記読取手順によって読み出された言語情報に適した副音声コンテンツがデータベースに存在する場合に、この副音声コンテンツを前記移動通信端末に配信する副音声コンテンツ配信処理手順とを備えることを特徴とする通訳方法。
【請求項９】
請求項８記載の通訳方法において、
さらに、前記副音声コンテンツ配信処理手順の前に、前記言語情報に適した副音声コンテンツを再生するためのアプリケーションプログラムを前記移動通信端末に配信するアプリケーション配信処理手順を備えることを特徴とする通訳方法。
【請求項１０】
請求項８又は９記載の通訳方法において、
さらに、前記アプリケーション配信処理手順の前に、前記アプリケーションプログラムの格納先を示すダウンロードアプリケーション情報を前記移動通信端末に送信する通知処理手順を備え、
前記アプリケーション配信処理手順は、前記ダウンロードアプリケーション情報に基づく前記移動通信端末からのダウンロード要求に応じて、前記アプリケーションプログラムを前記移動通信端末に配信することを特徴とする通訳方法。
【請求項１１】
請求項８又は９記載の通訳方法において、
前記副音声コンテンツは、前記施設内で使用される主音声に対する副音声の音声データ又はテキストデータであることを特徴とする通訳方法。
【請求項１２】
請求項８又は９記載の通訳方法において、
前記アプリケーション配信処理手順と前記副音声コンテンツ配信処理手順とは、前記読取手順によって前記移動通信端末の非接触ＩＣデバイスから読み出された機器アドレス情報に基づいて、前記アプリケーションプログラムと前記副音声コンテンツとを前記移動通信端末に配信することを特徴とする通訳方法。
【請求項１３】
請求項８又は９記載の通訳方法において、
前記アプリケーション配信処理手順と前記副音声コンテンツ配信処理手順とは、前記アプリケーションプログラムと前記副音声コンテンツとを無線ＬＡＮ経由で前記移動通信端末に配信することを特徴とする通訳方法。
【請求項１４】
請求項８又は９記載の通訳方法において、
さらに、前記読取手順によって前記移動通信端末の非接触ＩＣデバイスから読み出されたチケット情報に基づいて、利用者の前記施設内への入場を管理する入場管理手順を備えることを特徴とする通訳方法。
【請求項１５】
施設内に入場する利用者に対して、利用者の理解を補助するコンテンツを提供する通訳システムで使用される移動通信端末であって、
非接触ＩＣデバイスと、
利用者が使用する言語の情報を予め記憶している記憶装置と、
利用者が施設内に入場する際に、前記非接触ＩＣデバイスを介して読み出された前記言語情報に応じてコンテンツ配信サーバ装置から配信された副音声コンテンツを再生する制御手段とを備えることを特徴とする移動通信端末。
【請求項１６】
請求項１５記載の移動通信端末において、
前記制御手段は、前記副音声コンテンツを受信する前に、前記副音声コンテンツを再生するためのアプリケーションプログラムを前記コンテンツ配信サーバ装置から受信して、このアプリケーションプログラムに従って前記副音声コンテンツを再生することを特徴とする移動通信端末。
【請求項１７】
請求項１６記載の移動通信端末において、
さらに、前記アプリケーションプログラムの格納先を示すダウンロードアプリケーション情報を前記非接触ＩＣデバイスを介して受信して、このダウンロードアプリケーション情報に基づいて前記コンテンツ配信サーバ装置にダウンロード要求を送信するダウンロード要求手段を備えることを特徴とする移動通信端末。
【請求項１８】
請求項１５又は１６記載の移動通信端末において、
さらに、前記非接触ＩＣデバイスを介して前記コンテンツ配信サーバ装置に、自装置に固有の機器アドレス情報を送信する機器アドレス情報送信手段を備えることを特徴とする移動通信端末。
【請求項１９】
請求項１５又は１６記載の移動通信端末において、
さらに、利用者が施設内に入場する際に、自装置の接続先を公衆網から施設内の無線ＬＡＮに切り替える切替手段を備え、
前記制御手段は、前記アプリケーションプログラムと前記副音声コンテンツとを無線ＬＡＮ経由で受信することを特徴とする移動通信端末。
【請求項２０】
施設内に入場する利用者に対して、利用者の理解を補助するコンテンツを提供する通訳システムで使用されるサーバ装置であって、
前記施設内で使用される主音声に対して副音声のコンテンツを予め記憶するデータベースと、
利用者の移動通信端末に搭載された非接触ＩＣデバイスから読取装置を介して読み出された言語情報に基づいて、この言語情報に適した副音声コンテンツを前記データベース上で検索し、前記言語情報に適した副音声コンテンツが存在する場合に、この副音声コンテンツを前記移動通信端末に配信する副音声コンテンツ配信処理手段とを備えることを特徴とするサーバ装置。
【請求項２１】
請求項２０記載のサーバ装置において、
さらに、前記言語情報に適した副音声コンテンツを配信する前に、この副音声コンテンツを再生するためのアプリケーションプログラムを前記移動通信端末に配信するアプリケーション配信処理手段を備えることを特徴とするサーバ装置。
【請求項２２】
請求項２１記載のサーバ装置において、
さらに、前記アプリケーションプログラムの格納先を示すダウンロードアプリケーション情報を前記読取装置を介して前記移動通信端末に送信する通知処理手段を備え、
前記アプリケーション配信処理手段は、前記ダウンロードアプリケーション情報に基づく前記移動通信端末からのダウンロード要求に応じて、前記アプリケーションプログラムを前記移動通信端末に配信することを特徴とするサーバ装置。
【請求項２３】
請求項２０又は２１記載のサーバ装置において、
前記アプリケーション配信処理手段と前記副音声コンテンツ配信処理手段とは、前記読取装置によって前記移動通信端末の非接触ＩＣデバイスから読み出された機器アドレス情報に基づいて、前記アプリケーションプログラムと前記副音声コンテンツとを前記移動通信端末に配信することを特徴とするサーバ装置。
【請求項２４】
請求項２０又は２１記載のサーバ装置において、
前記アプリケーション配信処理手段と前記副音声コンテンツ配信処理手段とは、前記アプリケーションプログラムと前記副音声コンテンツとを無線ＬＡＮ経由で前記移動通信端末に配信することを特徴とするサーバ装置。
【発明の詳細な説明】
【技術分野】
【０００１】
本発明は、例えば劇場等の施設内で使用される言語を母国語としない利用者に、利用者が所持する携帯電話装置を用いて利用者の理解を補助するための音声／テキストを提供する通訳システム、通訳方法、移動通信端末およびサーバ装置に関するものである。
【背景技術】
【０００２】
劇場で上映される映画は、その映画を制作した国の言葉が主音声となるのが一般的である。したがって、主音声と異なる言語の国で上映される場合には、上映する国の言語で字幕が表示されるか、もしくは上映する国の言語で吹き替えたものが上映される。このため、劇場で上映される映画で使用される言語は、二カ国語もしくは上映される国の言語に限定されることになる。また、美術館、博物館等における作品や展示物の説明においても、使用される言語は、例えば日本語と英語といったように二カ国語程度に限定されているのが一般的である。
【０００３】
このように、現在の劇場、美術館、博物館等では、二カ国語程度が使用されており、これらの言語を母国語としない利用者にとっては作品や展示物に対する理解が不十分になる。そこで、利用者の理解を補助するためのシステムとして、演劇通訳システムが提案されている（例えば、特許文献１参照）。図８は、特許文献１に開示された演劇通訳システムの構成を示すブロック図である。
【０００４】
この演劇通訳システムは、翻訳された演劇の台詞を音声のディジタルデータに変換し、識別番号を付して再生装置７０３の記録媒体に記録する音声記録装置７０１と、演劇の進行に応じた識別番号を選択し、識別番号を送信するタイミング管理装置７０２と、識別番号を受信して、識別番号に対応したディジタルデータを内部の記録媒体から検索し、再生する再生装置７０３とから構成される。
【０００５】
なお、出願人は、本明細書に記載した先行技術文献情報で特定される先行技術文献以外には、本発明に関連する先行技術文献を出願時までに発見するには至らなかった。
【特許文献１】特開２００４−２２９７０６号公報
【発明の開示】
【発明が解決しようとする課題】
【０００６】
図８に示した演劇通訳システムによれば、演劇の台詞を母国語としない観客が、演劇を違和感なく理解できるとしている。しかしながら、図８に示した演劇通訳システムでは、翻訳された演劇の台詞を再生するために特殊な再生装置が必要になるという問題点があった。その結果、この演劇通訳システムでは、劇場に入場する利用者に対して再生装置を貸し出す必要があり、また利用者が退場する際には、再生装置を回収しなければならないという問題点があった。
【０００７】
本発明は、上記課題を解決するためになされたもので、特殊な再生装置を用いることなく、利用者の理解を補助するための音声／テキストを提供することができる通訳システム、通訳方法、移動通信端末およびサーバ装置を提供することを目的とする。
【課題を解決するための手段】
【０００８】
本発明は、非接触ＩＣデバイスを搭載すると共に利用者が使用する言語の情報を予め記憶している利用者の移動通信端末を用いて、利用者の理解を補助するコンテンツを提供する通訳システムであって、利用者が施設内に入場する際に、前記移動通信端末の非接触ＩＣデバイスから情報を読み出す読取装置と、前記施設内で使用される主音声に対して副音声のコンテンツを予め記憶するデータベースと、前記読取装置によって読み出された言語情報に適した副音声コンテンツが存在する場合に、この副音声コンテンツを前記移動通信端末に配信する副音声コンテンツ配信処理手段とを備えるものである。
また、本発明の通訳システムの１構成例は、さらに、前記言語情報に適した副音声コンテンツを配信する前に、この副音声コンテンツを再生するためのアプリケーションプログラムを前記移動通信端末に配信するアプリケーション配信処理手段を備えるものである。
また、本発明の通訳システムの１構成例は、さらに、前記アプリケーションプログラムの格納先を示すダウンロードアプリケーション情報を前記読取装置を介して前記移動通信端末に送信する通知処理手段を備え、前記アプリケーション配信処理手段は、前記ダウンロードアプリケーション情報に基づく前記移動通信端末からのダウンロード要求に応じて、前記アプリケーションプログラムを前記移動通信端末に配信するものである。
また、本発明の通訳システムの１構成例において、前記副音声コンテンツは、前記施設内で使用される主音声に対する副音声の音声データ又はテキストデータである。
また、本発明の通訳システムの１構成例において、前記アプリケーション配信処理手段と前記副音声コンテンツ配信処理手段とは、前記読取装置によって前記移動通信端末の非接触ＩＣデバイスから読み出された機器アドレス情報に基づいて、前記アプリケーションプログラムと前記副音声コンテンツとを前記移動通信端末に配信するものである。
また、本発明の通訳システムの１構成例において、前記アプリケーション配信処理手段と前記副音声コンテンツ配信処理手段とは、前記アプリケーションプログラムと前記副音声コンテンツとを無線ＬＡＮ経由で前記移動通信端末に配信するものである。
また、本発明の通訳システムの１構成例は、さらに、前記読取手段によって前記移動通信端末の非接触ＩＣデバイスから読み出されたチケット情報に基づいて、利用者の前記施設内への入場を管理する入場管理サーバ装置を備えるものである。
【０００９】
また、本発明は、非接触ＩＣデバイスを搭載すると共に利用者が使用する言語の情報を予め記憶している利用者の移動通信端末を用いて、利用者の理解を補助するコンテンツを提供する通訳方法であって、利用者が施設内に入場する際に、前記移動通信端末の非接触ＩＣデバイスから情報を読み出す読取手順と、前記読取手順によって読み出された言語情報に適した副音声コンテンツがデータベースに存在する場合に、この副音声コンテンツを前記移動通信端末に配信する副音声コンテンツ配信処理手順とを備えるものである。
また、本発明の通訳方法の１構成例は、さらに、前記副音声コンテンツ配信処理手順の前に、前記言語情報に適した副音声コンテンツを再生するためのアプリケーションプログラムを前記移動通信端末に配信するアプリケーション配信処理手順を備えるものである。
また、本発明の通訳方法の１構成例は、さらに、前記アプリケーション配信処理手順の前に、前記アプリケーションプログラムの格納先を示すダウンロードアプリケーション情報を前記移動通信端末に送信する通知処理手順を備え、前記アプリケーション配信処理手順は、前記ダウンロードアプリケーション情報に基づく前記移動通信端末からのダウンロード要求に応じて、前記アプリケーションプログラムを前記移動通信端末に配信するようにしたものである。
また、本発明の通訳方法の１構成例において、前記副音声コンテンツは、前記施設内で使用される主音声に対する副音声の音声データ又はテキストデータである。
また、本発明の通訳方法の１構成例において、前記アプリケーション配信処理手順と前記副音声コンテンツ配信処理手順とは、前記読取手順によって前記移動通信端末の非接触ＩＣデバイスから読み出された機器アドレス情報に基づいて、前記アプリケーションプログラムと前記副音声コンテンツとを前記移動通信端末に配信するようにしたものである。
また、本発明の通訳方法の１構成例において、前記アプリケーション配信処理手順と前記副音声コンテンツ配信処理手順とは、前記アプリケーションプログラムと前記副音声コンテンツとを無線ＬＡＮ経由で前記移動通信端末に配信するようにしたものである。
また、本発明の通訳方法の１構成例は、さらに、前記読取手順によって前記移動通信端末の非接触ＩＣデバイスから読み出されたチケット情報に基づいて、利用者の前記施設内への入場を管理する入場管理手順を備えるものである。
【００１０】
また、本発明は、施設内に入場する利用者に対して、利用者の理解を補助するコンテンツを提供する通訳システムで使用される移動通信端末であって、非接触ＩＣデバイスと、利用者が使用する言語の情報を予め記憶している記憶装置と、利用者が施設内に入場する際に、前記非接触ＩＣデバイスを介して読み出された前記言語情報に応じてコンテンツ配信サーバ装置から配信された副音声コンテンツを再生する制御手段とを備えるものである。
また、本発明の移動通信端末の１構成例において、前記制御手段は、前記副音声コンテンツを受信する前に、前記副音声コンテンツを再生するためのアプリケーションプログラムを前記コンテンツ配信サーバ装置から受信して、このアプリケーションプログラムに従って前記副音声コンテンツを再生するものである。
また、本発明の移動通信端末の１構成例は、さらに、前記アプリケーションプログラムの格納先を示すダウンロードアプリケーション情報を前記非接触ＩＣデバイスを介して受信して、このダウンロードアプリケーション情報に基づいて前記コンテンツ配信サーバ装置にダウンロード要求を送信するダウンロード要求手段を備えるものである。
また、本発明の移動通信端末の１構成例は、さらに、前記非接触ＩＣデバイスを介して前記コンテンツ配信サーバ装置に、自装置に固有の機器アドレス情報を送信する機器アドレス情報送信手段を備えるものである。
また、本発明の移動通信端末の１構成例は、さらに、利用者が施設内に入場する際に、自装置の接続先を公衆網から施設内の無線ＬＡＮに切り替える切替手段を備え、前記制御手段は、前記アプリケーションプログラムと前記副音声コンテンツとを無線ＬＡＮ経由で受信するものである。
【００１１】
また、本発明は、施設内に入場する利用者に対して、利用者の理解を補助するコンテンツを提供する通訳システムで使用されるサーバ装置であって、前記施設内で使用される主音声に対して副音声のコンテンツを予め記憶するデータベースと、利用者の移動通信端末に搭載された非接触ＩＣデバイスから読取装置を介して読み出された言語情報に基づいて、この言語情報に適した副音声コンテンツを前記データベース上で検索し、前記言語情報に適した副音声コンテンツが存在する場合に、この副音声コンテンツを前記移動通信端末に配信する副音声コンテンツ配信処理手段とを備えるものである。
また、本発明のサーバ装置の１構成例は、さらに、前記言語情報に適した副音声コンテンツを配信する前に、この副音声コンテンツを再生するためのアプリケーションプログラムを前記移動通信端末に配信するアプリケーション配信処理手段を備えるものである。
また、本発明のサーバ装置の１構成例は、さらに、前記アプリケーションプログラムの格納先を示すダウンロードアプリケーション情報を前記読取装置を介して前記移動通信端末に送信する通知処理手段を備え、前記アプリケーション配信処理手段は、前記ダウンロードアプリケーション情報に基づく前記移動通信端末からのダウンロード要求に応じて、前記アプリケーションプログラムを前記移動通信端末に配信するものである。
また、本発明のサーバ装置の１構成例において、前記アプリケーション配信処理手段と前記副音声コンテンツ配信処理手段とは、前記読取装置によって前記移動通信端末の非接触ＩＣデバイスから読み出された機器アドレス情報に基づいて、前記アプリケーションプログラムと前記副音声コンテンツとを前記移動通信端末に配信するものである。
また、本発明のサーバ装置の１構成例において、前記アプリケーション配信処理手段と前記副音声コンテンツ配信処理手段とは、前記アプリケーションプログラムと前記副音声コンテンツとを無線ＬＡＮ経由で前記移動通信端末に配信するものである。
【発明の効果】
【００１２】
本発明によれば、施設内で使用される主音声とは別に、利用者の言語情報に適した副音声コンテンツ（音声データ又はテキストデータ）を利用者に提供することができる。この副音声コンテンツの提供は、利用者が所持している携帯電話装置等の移動通信端末に対して行われるので、従来の演劇通訳システムのような特殊な再生装置を用意する必要がなく、再生装置を貸与したり、回収したりする必要もない。また、本発明では、移動通信端末に設定された利用者の言語情報を、移動通信端末に搭載された非接触ＩＣデバイスを通じて読み出すため、非接触ＩＣデバイス付きの移動通信端末を入場管理に利用している入場管理システムに容易に適用することができ、大規模な設備の追加を行うことなく、通訳システムを実現することができる。
【００１３】
また、本発明では、副音声コンテンツを配信する前に、副音声コンテンツを再生するためのアプリケーションプログラムを移動通信端末に配信するので、副音声コンテンツの再生に対応していない移動通信端末においても、副音声コンテンツを容易に再生させることができる。
【００１４】
また、アプリケーションプログラムと副音声コンテンツとを無線ＬＡＮ経由で移動通信端末に配信することにより、施設内の特定の移動通信端末に対してアプリケーションプログラムと副音声コンテンツを容易に配信することができる。
【００１５】
また、利用者が施設内に入場する際に、移動通信端末の接続先を公衆網から施設内の無線ＬＡＮに切り替える切替手段を移動通信端末に設けることにより、移動通信端末を操作することなく、その接続を切り替え、施設内での通話が禁止されることもある移動通信端末を施設の状況に合わせて有効利用して、利用者の言語情報に適した副音声コンテンツを利用者に提供することができる。
【発明を実施するための最良の形態】
【００１６】
本発明は、非接触ＩＣデバイスを搭載する携帯電話装置や携帯情報端末などの移動通信端末を用いて、利用者の劇場などへの入場を管理するシステムにおいて、利用者が入場する際に、映画のチケット情報の他に移動通信端末に設定されている言語情報を非接触の読取装置で読み出す機能と、読み出した言語情報と上映する映画／会議で使用される言語とを比較し、使用される言語が入場時に取得した言語情報の言語と異なる場合に、言語情報に適した副音声コンテンツを選択する機能と、読み出した言語情報に従って、副音声コンテンツを再生するアプリケーションプログラムおよび副音声コンテンツを無線ＬＡＮ経由で移動通信端末に配信する機能と、移動通信端末のネットワークの接続先を公衆網から入場した劇場内の無線ＬＡＮに変更する機能とを有し、読取装置が設置された劇場のゲートを通過して劇場内に入場するだけで、その劇場で上映される映画／会議の副音声コンテンツを、移動通信端末で再生／表示させることを特徴とする。
【００１７】
［第１の実施の形態］
以下、本発明の実施の形態について説明する。本実施の形態では、劇場において映画を鑑賞するシステムとして説明する。図１は、本発明の第１の実施の形態となる通訳システムの構成を示すブロック図である。本実施の形態の通訳システムは、劇場１００内に構築されたネットワーク（有線ＬＡＮ）１０２と、劇場１００内に設置され、移動通信端末である携帯電話装置１０１と通信すると共にネットワーク１０２との接続を行う無線ＬＡＮアクセスポイント（中継機）１０３と、ネットワーク１０２に接続され、劇場１００への利用者の入場を管理する入場管理サーバ装置１０４と、入場管理サーバ装置１０４に接続され、携帯電話装置１０１内に搭載された非接触ＩＣデバイスから情報を読み取ると共に、情報の書き込みを行う書込／読取装置１０５と、ネットワーク１０２に接続され、携帯電話装置１０１に対してコンテンツを提供するコンテンツ配信サーバ装置１０６とから構成される。図１において、１０７は携帯電話ネットワーク、１０８は携帯電話装置１０１と通信を行う無線基地局、１０９は劇場１００のチケットの発行管理を行うチケット予約システムである。
【００１８】
図２は、携帯電話装置１０１の構成を示すブロック図である。携帯電話装置１０１は、携帯電話ネットワーク１０７の無線基地局１０８と無線通信を行うための送受信部２０１と、無線基地局１０８に送信すべきデータを無線信号に変換して送受信部２０１に出力すると共に、送受信部２０１で受信された無線信号からデータを復調する変復調処理部２０２と、送受信部２０１及び変復調処理部２０２を制御すると共に、携帯電話装置全体の制御部２１０との調整を行う通信機能制御部２０３と、劇場１００内の無線ＬＡＮ（無線ＬＡＮアクセスポイント１０３）と無線通信を行うための送受信部２０４と、無線ＬＡＮアクセスポイント１０３に送信すべきデータを無線信号に変換して送受信部２０４に出力すると共に、送受信部２０４で受信された無線信号からデータを復調する変復調処理部２０５と、送受信部２０４及び変復調処理部２０５を制御すると共に、携帯電話装置全体の制御部２１０との調整を行う通信機能制御部２０６と、携帯電話装置同士の通信あるいは携帯電話装置１０１と図示しないＰＣ（Personal Computer ）との間で通信を行うための赤外線あるいはＵＳＢ（Universal Serial Bus）などの外部インタフェース２０７と、非接触で情報の記録再生が可能な非接触ＩＣデバイス２０８と、利用者の入力した情報やメールなどを表示する表示部２０９と、携帯電話装置全体を制御する制御部２１０と、利用者が携帯電話装置１０１に対して文字列やダイヤルを入力するための操作部２１１と、メール、電話帳、スケジュールなどの情報あるいはソフトウェアプログラムを記憶するメモリ２１２と、通話時に使用する音声や、動画再生などの音声データを含む画像情報を処理するデータ処理部２１３と、携帯電話装置１０１の利用者の音声を集音するマイク２１４と、マイク２１４で集音されたアナログ音声信号をＡ／Ｄ変換して、音声データをデータ処理部２１３に出力するＡ／Ｄ変換器２１５と、携帯電話装置１０１の利用者に対して音声を出力するスピーカー２１６と、データ処理部２１３から出力された音声データをＤ／Ａ変換して、アナログ音声信号をスピーカー２１６に出力するＤ／Ａ変換器２１７とから構成される。
【００１９】
携帯電話装置１０１のメモリ２１２には、利用者が使用する言語の情報と、携帯電話装置１０１に固有の機器アドレス情報とが予め登録されている。
非接触ＩＣデバイス２０８としては、ＲＦＩＤ（Radio Frequency Identification）を用いたものがあり、代表的なものとしてはソニー株式会社が提案しているＦｅｌｉｃａ（登録商標）がある。
【００２０】
図３は、入場管理サーバ装置１０４の構成を示すブロック図である。入場管理サーバ装置１０４は、非接触ＩＣデバイスの書込／読取装置１０５との通信を行う通信処理部３０１と、劇場の鑑賞情報取得と入退場処理とを行う入場処理部３０２と、後述するデータベース上で上映作品の言語情報を検索する抽出処理部３０３と、アプリケーションプログラムの格納先を示すダウンロードアプリケーション情報を携帯電話装置１０１に送信する通知処理部３０４と、コンテンツ配信サーバ装置１０６との通信を行う通信処理部３０５と、劇場１００での上映作品に関するデータを管理するデータベースシステム３０６とから構成される。
【００２１】
データベースシステム３０６には、劇場１００における映画の上映スケジュールデータ３０７と、上映作品で使用される言語を示す上映作品言語情報３０８とが予め登録されている。
【００２２】
図４は、コンテンツ配信サーバ装置１０６の構成を示すブロック図である。コンテンツ配信サーバ装置１０６は、入場管理サーバ装置１０４との通信を行う通信処理部３０９と、携帯電話装置１０１で副音声コンテンツを再生するためのアプリケーションプログラムを携帯電話装置１０１に配信するアプリケーション配信処理部３１０と、入場管理サーバ装置１０４から送信された利用者の言語情報から言語情報に適した副音声コンテンツを検索する検索処理部３１１と、携帯電話装置１０１に副音声コンテンツを配信する副音声コンテンツ配信処理部３１２と、上映作品の副音声コンテンツを管理するデータベースシステム３１３とから構成される。
【００２３】
上映作品の副音声コンテンツとしては、音声データとテキストデータがある。データベースシステム３１３には、上映作品の副音声データ３１４−１〜３１４−ｎと、上映作品の字幕データ３１５−１〜３１５−ｎとが作品ごとに予め登録されている。
【００２４】
以下、本実施の形態の通訳システムの動作を説明する。図５は、利用者が劇場１００内に入場するときの通訳システムの動作を示すシーケンス図である。
まず、利用者は、劇場１００内に入る前に、所望の上映作品の鑑賞チケット（電子チケット）を予め購入しておく。すなわち、利用者は、携帯電話装置１０１から携帯電話ネットワーク１０７を介してチケット予約システム１０９に接続し、所望の上映作品の鑑賞チケットを予約・購入する。チケット予約、決済などの所定の処理が終了すると、利用者は、ダウンロード用の端末装置から携帯電話装置１０１の非接触ＩＣデバイス２０８に鑑賞チケット情報をダウンロードする。こうして、非接触ＩＣデバイス２０８に鑑賞チケット情報が記録される。
【００２５】
次に、利用者は、劇場１００に入場する際、携帯電話装置１０１の非接触ＩＣデバイス２０８に記録されている鑑賞チケット情報を劇場１００に設置されている書込／読取装置１０５に読み取らせる。このときの通信処理では、以下の情報の交換が行われる。
【００２６】
最初に、入場管理サーバ装置１０４は、鑑賞チケット情報要求を書込／読取装置１０５へ送信する（図５ステップ４０１）。書込／読取装置１０５は、受信した鑑賞チケット情報要求を携帯電話装置１０１内の非接触ＩＣデバイス２０８へ送信する（ステップ４０２）。鑑賞チケット情報要求を受信した携帯電話装置１０１の非接触ＩＣデバイス２０８は、言語情報及び機器アドレス情報を携帯電話装置１０１の制御部２１０に要求する（ステップ４０３）。
【００２７】
言語情報要求及び機器アドレス情報要求を受信した携帯電話装置１０１の制御部２１０は、メモリ２１２に予め格納されている言語情報と機器アドレス情報とを取り出して、これらを非接触ＩＣデバイス２０８へ送信する（ステップ４０４）。非接触ＩＣデバイス２０８は、自身が記憶している鑑賞チケット情報と受信した言語情報と機器アドレス情報とを書込／読取装置１０５へ送信する（ステップ４０５）。
【００２８】
書込／読取装置１０５は、受信した鑑賞チケット情報と言語情報と機器アドレス情報とを入場管理サーバ装置１０４へ送信する（ステップ４０６）。入場管理サーバ装置１０４は、受信した言語情報と機器アドレス情報とをコンテンツ配信サーバ装置１０６へ送信する（ステップ４０７）。
【００２９】
コンテンツ配信サーバ装置１０６は、携帯電話装置１０１から受信した言語情報で指定される言語の副音声コンテンツがデータベースシステム３１３に存在するかどうかを検索して、その検索結果を入場管理サーバ装置１０４へ送信する（ステップ４０８）。入場管理サーバ装置１０４は、入場許可を示す入場許可情報とダウンロードアプリケーション情報とを書込／読取装置１０５へ送信する（ステップ４０９）。
【００３０】
書込／読取装置１０５は、受信した入場許可情報とダウンロードアプリケーション情報とを携帯電話装置１０１内の非接触ＩＣデバイス２０８へ送信する（ステップ４１０）。非接触ＩＣデバイス２０８は、受信した入場許可情報とダウンロードアプリケーション情報とを携帯電話装置１０１の制御部２１０へ送信する（ステップ４１１）。
ここまでが携帯電話装置１０１内の非接触ＩＣデバイス２０８と書込／読取装置１０５との間で利用者の入場時に行われる通信処理である。
【００３１】
続いて、ダウンロード要求手段となる携帯電話装置１０１の制御部２１０は、コンテンツ配信サーバ装置１０６に対してアプリケーションプログラムのダウンロード要求を送信する（ステップ４１２）。コンテンツ配信サーバ装置１０６は、ダウンロード要求に応じてアプリケーションプログラムを携帯電話装置１０１へ配信する（ステップ４１３）。そして、携帯電話装置１０１の制御部２１０は、コンテンツ配信サーバ装置１０６に対してコンテンツ再生要求を送信し（ステップ４１４）、コンテンツ配信サーバ装置１０６は、コンテンツ再生要求に応じて副音声コンテンツを携帯電話装置１０１へ配信する（ステップ４１５）。
【００３２】
次に、携帯電話装置１０１、入場管理サーバ装置１０４及びコンテンツ配信サーバ装置１０６の動作についてより詳細に説明する。図６は携帯電話装置１０１の動作を示すフローチャート、図７は入場管理サーバ装置１０４及びコンテンツ配信サーバ装置１０６の動作を示すフローチャートである。
【００３３】
まず、入場管理サーバ装置１０４の入場処理部３０２は、鑑賞チケット情報要求を通信処理部３０１を介して書込／読取装置１０５へ送信する（図５ステップ４０１、図７ステップ６０１）。
携帯電話装置１０１内の非接触ＩＣデバイス２０８は、図５のステップ４０２の処理により書込／読取装置１０５から鑑賞チケット情報要求を受信すると（図６ステップ５０１）、言語情報及び機器アドレス情報を携帯電話装置１０１の制御部２１０に要求する（図５ステップ４０３）。この要求を受信した携帯電話装置１０１の制御部２１０は、メモリ２１２に予め格納されている言語情報と機器アドレス情報とを取り出して、これらを非接触ＩＣデバイス２０８へ送信する（図５ステップ４０４、図６ステップ５０２）。
【００３４】
非接触ＩＣデバイス２０８は、自身が記憶している鑑賞チケット情報と受信した言語情報と機器アドレス情報とを書込／読取装置１０５へ送信する（図５ステップ４０５、図６ステップ５０３）。
入場管理サーバ装置１０４の入場処理部３０２は、図５のステップ４０６の処理により書込／読取装置１０５から鑑賞チケット情報と言語情報と機器アドレス情報とを受信する（図７ステップ６０２）。
【００３５】
そして、入場処理部３０２は、データベースシステム３０６の上映スケジュールデータ３０７を検索して、受信した鑑賞チケット情報と上映スケジュールデータ３０７とを照合し、受信した鑑賞チケット情報が正しいかどうかを確認する（図７ステップ６０３）。ここでは、例えばチケット番号などが正しいかどうかを確認する。入場処理部３０２は、鑑賞チケット情報に問題がある場合、劇場１００内のゲート（不図示）を閉じて利用者の入場を拒否し、入場処理を終了する。なお、携帯電話装置１０１から鑑賞チケット情報を受信できない場合は、利用者の入場を拒否することは言うまでもない。
【００３６】
入場処理部３０２は、ステップ６０３において鑑賞チケット情報が正しいと判断した場合、鑑賞チケット情報が指定する上映時間がこれから上映される作品の上映時間と一致するかどうかを上映スケジュールデータ３０７に基づいて確認する（図７ステップ６０４）。入場処理部３０２は、上映時間が異なる場合は、利用者の入場を拒否し、入場処理を終了する。
【００３７】
次に、入場管理サーバ装置１０４の抽出処理部３０３は、入場処理部３０２で上映時間に問題なしと判断された場合、データベースシステム３０６の上映作品言語情報３０８を検索して、上映作品の主音声の言語を確認し、上映作品の主音声の言語と携帯電話装置１０１から受信した言語情報で指定される言語とが同一かどうかを確認する（図７ステップ６０５）。
【００３８】
入場管理サーバ装置１０４の通知処理部３０４は、上映作品の主音声の言語と携帯電話装置１０１から受信した言語情報で指定される言語とが同一と判断された場合、携帯電話装置１０１に送るダウンロードアプリケーション情報に、アプリケーションプログラムの格納先が存在しないことを示す情報を設定する（図７ステップ６０６）。
【００３９】
一方、入場管理サーバ装置１０４の抽出処理部３０３は、ステップ６０５において上映作品の主音声の言語と携帯電話装置１０１から受信した言語情報で指定される言語とが一致しない場合、通信処理部３０５を介してコンテンツ配信サーバ装置１０６に副音声コンテンツの検索を依頼する。
通信処理部３０９を介して入場管理サーバ装置１０４からの依頼を受けたコンテンツ配信サーバ装置１０６の検索処理部３１１は、これから上映される上映作品に関して、携帯電話装置１０１から受信した言語情報で指定される言語の副音声コンテンツがデータベースシステム３１３に存在するかどうかを検索する（図７ステップ６０７，６０８）。
【００４０】
検索処理部３１１は、データベースシステム３１３を検索した結果、データベースシステム３１３に副音声コンテンツが存在しない場合、副音声コンテンツが存在しないことを示す検索結果を通信処理部３０９を介して入場管理サーバ装置１０４に送信する。この検索結果を受けた入場管理サーバ装置１０４の通知処理部３０４は、ダウンロードアプリケーション情報に、アプリケーションプログラムの格納先が存在しないことを示す情報を設定する（図７ステップ６０６）。
【００４１】
また、検索処理部３１１は、データベースシステム３１３を検索した結果、データベースシステム３１３に副音声コンテンツが存在する場合、副音声コンテンツが存在することを示す検索結果を通信処理部３０９を介して入場管理サーバ装置１０４に送信する。この検索結果を受けた入場管理サーバ装置１０４の入場処理部３０２は、携帯電話装置１０１から受信した機器アドレス情報をコンテンツ配信サーバ装置１０６へ送信し、携帯電話装置１０１の劇場内ネットワークへの接続を許可する（図７ステップ６０９）。
【００４２】
そして、入場管理サーバ装置１０４の通知処理部３０４は、ダウンロードアプリケーション情報に、アプリケーションプログラムの格納先を示す情報を設定する（図７ステップ６１０）。
ステップ６０６又は６１０の終了後、通知処理部３０４は、ダウンロードアプリケーション情報を入場処理部３０２に渡し、入場処理部３０２は、利用者の入場を許可する入場許可情報とダウンロードアプリケーション情報とを通信処理部３０１を介して書込／読取装置１０５に送信する（図５ステップ４０９、図７ステップ６１１）。
【００４３】
書込／読取装置１０５は、受信した入場許可情報とダウンロードアプリケーション情報とを携帯電話装置１０１内の非接触ＩＣデバイス２０８へ送信する（図５ステップ４１０）。
携帯電話装置１０１内の非接触ＩＣデバイス２０８は、書込／読取装置１０５から入場許可情報とダウンロードアプリケーション情報とを受信すると、これらを携帯電話装置１０１の制御部２１０へ送信する（図５ステップ４１１、図６ステップ５０４）。制御部２１０は、受信した入場許可情報とダウンロードアプリケーション情報とをメモリ２１２に格納する。
【００４４】
切替手段となる制御部２１０は、入場許可情報の受信を契機として、携帯電話ネットワーク１０７に接続するためのデバイスの電源、すなわち送受信部２０１と変復調処理部２０２と通信機能制御部２０３の電源をオフして、送受信部２０１と変復調処理部２０２と通信機能制御部２０３の機能を停止させる（図６ステップ５０５）。こうして、携帯電話装置１０１と携帯電話ネットワーク１０７との接続が切断される。
【００４５】
携帯電話ネットワーク１０７との接続の切断後、制御部２１０は、通信機能制御部２０６を通じて変復調処理部２０５及び送受信部２０４を使用し、劇場１００内に有効な無線ＬＡＮが存在するかどうかを確認する（図６ステップ５０６）。制御部２１０は、劇場１００内に有効な無線ＬＡＮが存在すると判断した場合、通信機能制御部２０６を通じて変復調処理部２０５及び送受信部２０４を使用し、無線ＬＡＮアクセスポイント１０３との接続処理を行い、携帯電話装置１０１で使用できるネットワークを劇場１００内の無線ＬＡＮに切り替える（図６ステップ５０７）。
【００４６】
無線ＬＡＮとの接続後、制御部２１０は、メモリ２１２に格納したダウンロードアプリケーション情報に基づき、アプリケーションプログラムのダウンロード要求を無線ＬＡＮアクセスポイント１０３に送信する（図５ステップ４１２）。このダウンロード要求には、ダウンロードアプリケーション情報で指定されたアプリケーションプログラムの格納先が設定されている。
【００４７】
コンテンツ配信サーバ装置１０６のアプリケーション配信処理部３１０は、無線ＬＡＮアクセスポイント１０３及びネットワーク１０２を介してダウンロード要求を受信すると（図７ステップ６１２）、このダウンロード要求で指定された格納先からアプリケーションプログラムを取り出して、取り出したアプリケーションプログラムをネットワーク１０２及び無線ＬＡＮアクセスポイント１０３を介して要求元の携帯電話装置１０１へ配信する（図５ステップ４１３、図７ステップ６１３）。このときの配信は、入場管理サーバ装置１０４から受け取った機器アドレス情報を基に、携帯電話装置１０１を特定することで行われる。
【００４８】
こうして、アプリケーションプログラムがダウンロードされる。携帯電話装置１０１の制御部２１０は、ダウンロードしたアプリケーションプログラムをメモリ２１２に格納する（図６ステップ５０８）。制御部２１０は、アプリケーションプログラムのダウンロードが完了すると、ダウンロードしたアプリケーションプログラムを起動する（図６ステップ５０９）。そして、制御部２１０は、起動したアプリケーションプログラムに従って、コンテンツ再生要求を無線ＬＡＮアクセスポイント１０３へ送信する（図５ステップ４１４）。
【００４９】
無線ＬＡＮアクセスポイント１０３及びネットワーク１０２を介してコンテンツ再生要求を受信したコンテンツ配信サーバ装置１０６の副音声コンテンツ配信処理部３１２は、作品の上映を契機としてコンテンツ再生を開始する（図７ステップ６１４）。すなわち、副音声コンテンツ配信処理部３１２は、この上映作品の副音声コンテンツをデータベースシステム３１３から取り出して、要求元の携帯電話装置１０１へ配信する（図６ステップ４１５、図７ステップ６１５）。アプリケーションプログラムの場合と同様に、このときの配信は、入場管理サーバ装置１０４から受け取った機器アドレス情報を基に、携帯電話装置１０１を特定することで行われる。
【００５０】
携帯電話装置１０１の制御部２１０は、受信した副音声コンテンツをアプリケーションプログラムに従って再生する（図６ステップ５１０）。副音声コンテンツには、上映作品の副音声データと字幕データとがある。コンテンツ配信サーバ装置１０６は、この両方を配信してもよいし、いずれか一方を配信してもよい。携帯電話装置１０１の制御部２１０は、副音声データを受信した場合、この副音声データをデータ処理部２１３に渡し、スピーカー２１６から再生させる。また、制御部２１０は、字幕データを受信した場合、この字幕データを表示部２０９に表示させる。
【００５１】
なお、携帯電話装置１０１の制御部２１０は、ステップ５０６において劇場１００内に有効な無線ＬＡＮが存在しないと判断した場合、携帯電話ネットワーク１０７に接続するためのデバイスの電源、すなわち送受信部２０１と変復調処理部２０２と通信機能制御部２０３の電源をオンにして、送受信部２０１と変復調処理部２０２と通信機能制御部２０３の機能を再起動する（図６ステップ５１１）。再起動後、制御部２１０は、携帯電話装置１０１をマナーモードに設定する（図６ステップ５１２）。
【００５２】
こうして、本実施の形態では、劇場１００内で使用される主音声とは別に、利用者の言語情報に適した副音声コンテンツを利用者に提供することができる。本実施の形態では、携帯電話装置１０１に設定された利用者の言語情報を、携帯電話装置１０１に搭載された非接触ＩＣデバイス２０８を通じて読み出すため、非接触ＩＣデバイス付きの携帯電話装置を入場管理に利用している入場管理システムに容易に適用することができ、大規模な設備の追加を行うことなく、通訳システムを実現することができる。
【００５３】
［第２の実施の形態］
第１の実施の形態では、劇場において映画を鑑賞するシステムを例に挙げて説明しているが、これに限るものではなく、本発明を博物館や美術館の展示物の説明に応用してもよい。この場合、利用者が博物館や美術館へ入場した後、携帯電話装置の接続先を博物館／美術館内のネットワークに切り替えて、展示物や美術品などを説明する音声／テキストの副音声コンテンツを携帯電話装置に設定されている言語情報に従って送付し、利用者の携帯電話装置において音声／テキストの再生／表示を行うようにすればよい。
【００５４】
［第３の実施の形態］
第１、第２の実施の形態では、利用者の入場のみ管理しているが、これに限るものではなく、利用者の退場も管理してよいことは言うまでもない。すなわち、利用者が劇場１００を退場する際、劇場１００のゲートに設置された書込／読取装置１０５は、携帯電話装置１０１の非接触ＩＣデバイス２０８を通じて入場許可情報を読み取る。
【００５５】
入場管理サーバ装置１０４の入場処理部３０２は、入場許可情報が得られた場合、退場したことを示す退場情報を書込／読取装置１０５に送信し、書込／読取装置１０５は、退場情報を携帯電話装置１０１内の非接触ＩＣデバイス２０８へ送信する。退場情報を受信した携帯電話装置１０１の制御部２１０は、メモリ２１２内の入場許可情報を退場情報に書き換える。
【００５６】
そして、制御部２１０は、退場情報の受信を契機として、無線ＬＡＮに接続するためのデバイスの電源、すなわち送受信部２０４と変復調処理部２０５と通信機能制御部２０６の電源をオフして、送受信部２０４と変復調処理部２０５と通信機能制御部２０６の機能を停止させ、無線ＬＡＮとの接続を切断する。さらに、制御部２１０は、携帯電話ネットワーク１０７に接続するためのデバイスの電源、すなわち送受信部２０１と変復調処理部２０２と通信機能制御部２０３の電源をオンにして、送受信部２０１と変復調処理部２０２と通信機能制御部２０３の機能を再起動し、携帯電話ネットワーク１０７との接続を行う。こうして、退場時の管理と無線ＬＡＮから公衆網への切り替えとを実現することができる。
【００５７】
第１、第２の実施の形態における携帯電話装置１０１、入場管理サーバ装置１０４、コンテンツ配信サーバ装置１０６は、それぞれＣＰＵ、記憶装置およびインタフェースを備えたコンピュータとこれらのハードウェア資源を制御するプログラムによって実現することができる。このようなコンピュータにおいて、本発明の通訳方法を実現させるためのプログラムは、フレキシブルディスク、ＣＤ−ＲＯＭ、ＤＶＤ−ＲＯＭ、メモリカードなどの記録媒体に記録された状態で提供される。ＣＰＵは、読み込んだプログラムを記憶装置に書き込み、このプログラムに従って第１、第２の実施の形態で説明した処理を実行する。
【００５８】
なお、第１、第２の実施の形態では、移動通信端末の例として携帯電話装置を例に挙げて説明しているが、これに限るものではなく、ＰＨＳ（Personal Handy-phone System ）、通信機能を有するＰＤＡ（Personal Digital Assistant）など他の移動通信端末に本発明を適用してもよい。
【００５９】
また、第１、第２の実施の形態では、アプリケーションプログラム及び副音声コンテンツを配信する手段として、無線ＬＡＮを用いているが、これに限るものではなく、無線ＬＡＮ以外の例えばブルートゥース（Bluetooth ）などの近距離無線通信手段を用いてもよいし、携帯電話ネットワーク１０７を通じて配信するようにしてもよい。したがって、機器アドレス情報も、無線ＬＡＮに関するものでもよいし、その他、近距離無線通信手段に関するものでもよいし、あるいは電話番号、電子メールアドレスなど配信の際に移動通信端末を特定できるものであればよい。
【産業上の利用可能性】
【００６０】
本発明は、例えば映画館、博物館、美術館などの施設において、利用者の理解を補助するシステムに適用することができる。
【図面の簡単な説明】
【００６１】
【図１】本発明の第１の実施の形態となる通訳システムの構成を示すブロック図である。
【図２】本発明の第１の実施の形態における携帯電話装置の構成を示すブロック図である。
【図３】本発明の第１の実施の形態における入場管理サーバ装置の構成を示すブロック図である。
【図４】本発明の第１の実施の形態におけるコンテンツ配信サーバ装置の構成を示すブロック図である。
【図５】利用者が劇場内に入場するときの通訳システムの動作を示すシーケンス図である。
【図６】本発明の実施の形態における携帯電話装置の動作を示すフローチャートである。
【図７】本発明の実施の形態における入場管理サーバ装置及びコンテンツ配信サーバ装置の動作を示すフローチャートである。
【図８】従来の演劇通訳システムの構成を示すブロック図である。
【符号の説明】
【００６２】
１００…劇場、１０１…携帯電話装置、１０２…ネットワーク、１０３…無線ＬＡＮアクセスポイント、１０４…入場管理サーバ装置、１０５…書込／読取装置、１０６…コンテンツ配信サーバ装置、１０７…携帯電話ネットワーク、１０８…無線基地局、１０９…チケット予約システム、２０１、２０４…送受信部、２０２、２０５…変復調処理部、２０３、２０６…通信機能制御部、２０７…外部インタフェース、２０８…非接触ＩＣデバイス、２０９…表示部、２１０…制御部、２１１…操作部、２１２…メモリ、２１３…データ処理部、２１４…マイク、２１５…Ａ／Ｄ変換器、２１６…スピーカー、２１７…Ｄ／Ａ変換器、３０１、３０９…通信処理部、３０２…入場処理部、３０３…抽出処理部、３０４…通知処理部、３０５…通信処理部、３０６、３１３…データベースシステム、３０７…上映スケジュールデータ、３０８…上映作品言語情報、３１０…アプリケーション配信処理部、３１１…検索処理部、３１２…副音声コンテンツ配信処理部、３１４…副音声データ、３１５…字幕データ。
【図１】
2006253894.tif 000003
【図２】
2006253894.tif 000004
【図３】
2006253894.tif 000005
【図４】
2006253894.tif 000006
【図５】
2006253894.tif 000007
【図６】
2006253894.tif 000008
【図７】
2006253894.tif 000009
【図８】
2006253894.tif 000010